(57)【要約】【課題】家庭やホテル等の浴室に設けられている浴槽に取り付けるだけで入浴時に体に遠赤外線やマイナスイオンを受けることができる浴槽及び過度の入浴を防止できる入浴管理方法の提供を目的とする。【解決手段】  浴槽の内壁又は／及び底部に着脱自在に取り付けるためのシート体であって、遠赤外線放射性組成物又は／及びマイナスイオン発生組成物を含有していることを特徴とする。  入浴管理としては遠赤外線放射性組成物又は／及びマイナスイオン発生組成物を含有するシート体を、浴槽の内壁又は／及び底部に取り付けた状態で入浴する際に、入浴者は入浴者情報を記録したＩＣタグを身に付けて浴槽に入り、浴槽の外部に設けたリーダライターがＩＣタグ情報を読み取り、入浴者の性別、年齢、健康状態等に応じて入浴回数又は／及び入浴時間を、表示又は／及び音声出力することを特徴とする。【選択図】  図１
2008029541.tif 000002
【特許請求の範囲】
【請求項１】
浴槽の内壁又は／及び底部に着脱自在に取り付けるためのシート体であって、遠赤外線放射性組成物又は／及びマイナスイオン発生組成物を含有していることを特徴とするシート体。
【請求項２】
遠赤外線放射性組成物又は／及びマイナスイオン発生組成物を含有するシート体を浴槽の内壁又は／及び底部に着脱自在に設けたことを特徴とする新規浴槽。
【請求項３】
遠赤外線放射性組成物又は／及びマイナスイオン発生組成物を含有するシート体を、浴槽の内壁又は／及び底部に取り付けた状態で入浴する際に、入浴者は入浴者情報を記録したＩＣタグを身に付けて浴槽に入り、浴槽の外部に設けたリーダライターがＩＣタグ情報を読み取り、入浴者の性別、年齢、健康状態等に応じて入浴回数又は／及び入浴時間を、表示又は／及び音声出力することを特徴とする入浴管理方法。
【発明の詳細な説明】
【技術分野】
【０００１】
この発明は、入浴時に遠赤外線やマイナスイオンを身体に受けることで、新陳代謝が活性化される新規浴槽及び入浴管理方法に関する。
【背景技術】
【０００２】
遠赤外線放射やマイナスイオンを発生する岩石等は公知である。
しかし、これらの岩石等は温めないと遠赤外線等が多く発生しない点と、人体の発汗作用による体内の老廃物の排出促進、リラクゼーション効果等を高めるために岩盤浴が脚光を浴びている。
しかし、家庭の浴室に岩盤浴施設を導入するのは価格面のみならずスペース面でも困難である。
【０００３】
特開２００６−２５８７２号公報には、浴室等に敷設する岩盤浴用基材を開示するが施工が大変であり、衛生の維持が難しい問題がある。
【０００４】
また、人体が遠赤外線等を受けると新陳代謝を促進することから、消耗するカロリーも多く、岩盤浴においても長時間の入浴は体力が過度に疲れるために、適度な入浴時間管理が要求されるが現在のところ個人まかせになっているのが実情である。
【０００５】
【特許文献１】特開２００６−２５８７２号公報
【発明の開示】
【発明が解決しようとする課題】
【０００６】
本発明は、家庭やホテル等の浴室に設けられている浴槽に取り付けるだけで入浴時に体に遠赤外線やマイナスイオンを受けることができる浴槽及び過度の入浴を防止できる入浴管理方法の提供を目的とする。
【課題を解決するための手段】
【０００７】
請求項１記載に係る発明は、浴槽の内壁又は／及び底部に着脱自在に取り付けるためのシート体であって、遠赤外線放射性組成物又は／及びマイナスイオン発生組成物を含有していることを特徴とする。
【０００８】
請求項２記載に係る発明の新規浴槽は、遠赤外線放射性組成物又は／及びマイナスイオン発生組成物を含有するシート体を浴槽の内壁又は／及び底部に着脱自在に設けたことを特徴とする。
ここで、遠赤外線放射性組成物及びマイナスイオン発生組成物は、鉱石を微粒子にしたものや珪素系セラミックス等の各種セラミックスパウダー等をいい、これらの組成物を樹脂に混練したり、繊維に練り込んでシート体にして用いる。
シート体は、遠赤外線放射性、マイナスイオン発生等の性質を有している限りにおいて、形状や材質は限定されず、形状は矩形形状、円形状、編み目形状でも良く、材質は、ウレタン樹脂、アクリル樹脂、シリコンゴム、セラミックス、不織布、布等が例として挙げられ、単層体のみならず複層体でも良い。
シート体には吸着盤、フック等を設けて浴槽の内壁に着脱自在になっていて、浴槽の清掃時に取り外して洗濯又は洗浄できるようになっている。
また、シート体を浴槽の底部に敷く場合には、マット状や、すのこ状にするとよい。
【０００９】
請求項３記載に係る入浴管理方法は、遠赤外線放射性組成物又は／及びマイナスイオン発生組成物を含有するシート体を浴槽の内壁又は／及び底部に取り付けた状態で入浴する際に、入浴者は入浴者情報を記録したＩＣタグを身に付けて浴槽に入り、浴槽の外部に設けたリーダライターがＩＣタグ情報を読み取り、入浴者の性別、年齢、健康状態等に応じて入浴回数又は／及び入浴時間を、表示又は／及び音声出力することを特徴とする。
遠赤外線等は、体の新陳代謝を促進するが本願のように浴槽の内壁に遠赤外線等を放射、放出するシート体を設けると、湯温にて放射量が増加するとともに体の周囲から温めるので消耗カロリーも多くなる。
試算すると、約１５分の入浴で約６００ｋｃａｌのカロリー消耗となるので長時間の入浴をさける必要がある。
そこで、入浴する際にはＩＣタグを身に付けるようにした。
ＩＣタグを身に付ける方法はペンダントタイプ、ブレスレッドタイプ等手段を選ばないが、浴室に設けたリーダライターにてＩＣタグ情報を読み取れるようにする。
ＩＣタグに内蔵したＩＣチップには、入浴者の性別、年齢、体重、過去の疾病歴、健康状態等を入力してあり、入浴者が浴槽に入るとリーダライターが入浴者の個人情報を読み取り、データ処理装置には入浴開始時間、浴温等も自動入力される。
これにより、入浴者に適した最適入浴時間が算出され、浴室内に設けた表示装置に入力時間等が表示されるとともに浴槽から出る時間になるとその旨の表示や音声が出るようになっている。
【発明の効果】
【００１０】
本発明においては、浴槽の内壁又は／及び底部に遠赤外線放射性組成物又は／及びマイナスイオン発生組成物を含有するシート体を着脱自在に設けたので、これらのシート体は浴温の温かい温度で遠赤外線等の放射量が向上し、体の芯から温めるので岩盤浴以上に新陳代謝促進効果がある。
また、シート体は浴槽から簡単に取り外して洗濯や洗浄ができるので衛生的によい。
【００１１】
また、本発明に係る入浴管理方法にあっては、浴槽の外部にＩＣタグのリーダライター及び表示装置を設けたので、入浴者が入浴する際にＩＣタグを身に付けるだけで、その人の最適な入浴時間、入浴回数等が、表示又は／及び音声案内されるので過度の疲労を防止できる。
【発明を実施するための最良の形態】
【００１２】
本発明の実施例を図面に基づいて以下説明する。
図１（ａ）に浴室１の平面模式図を示し、図１（ｂ）に浴槽の斜視図を示す。
浴室に設置してある浴槽２の内壁にはシート体３を着脱自在に取り付けてある。
シート体３は浴槽の内壁に取り付け、取り外しができれば取り付け手段は特に限定しないが、図１（ｂ）に示した例は吸着盤３ａにて浴槽内壁に取り付けた例を示す。
シート体３は樹脂成形体、布等の繊維製、セラミックス製等材質を限定せず、遠赤外線放射性組成物等が練り込まれている。
鉱石微粒子やセラミックスパウダーは４０℃前後に温められることで遠赤外線の放射量が多くなり、マイナスイオンの発生量も多くなる。
また、布製であれば衣類と同様に洗濯も可能である。
【００１３】
図２に図１（ｂ）のＡ−Ａ線断面図を示したようにシート体３を浴槽内壁２ａに吸着盤３ａ等で取り付ける例の他に浴槽の底部２ｂに、すのこ状にしたシート体３１を敷いてもよく、この場合には脚部３１ａを設けてもよい。
また、マット状のシート体を敷いても良い。
【００１４】
浴槽内には、入浴者がＩＣタグを身に付けて浴槽に入ったことが判別できる位置にリーダライター４を設置してあり、これによりＩＣタグから入浴者の個人情報を読み取る。
ＩＣタグには予め入浴者の性別、年齢、体重、身長、健康状態等が入力されている。
また、図に表示を省略したがデータ処理装置を設けてあり、リーダライター４で読み取ったＩＣタグ情報の他に浴温、温度等の浴室情報を検出し、データ処理する。
入浴者が浴槽内に入ると浴室内に設置した表示装置５に入浴を開始したことや入浴開始時刻等を表示する。
また、入浴者のＩＣタグから個人情報を読み取り、その人に最適な入浴時間等を表示装置５に表示する。
例えば、浴温が４０℃の場合には約１５分、浴温が４２℃のように高い場合には約１０分等のように入浴時間や浴槽から出る時刻等を表示する。
また、これらの情報を音声で流してもよく、浴槽から出る時刻が過ぎると警告表示や警告アナウンスをしてもよい。
これによりその人にとって最適な入浴管理ができ、適切なダイエット効果も期待できる。
【図面の簡単な説明】
【００１５】
【図１】本発明に係る浴槽を示す。
【図２】浴槽の断面図を示す。
【符号の説明】
【００１６】
１      浴室
２      浴槽
３      シート体
４      リーダライター
５      表示装置
【図１】
2008029541.tif 000003
【図２】
2008029541.tif 000004